(57)【特許請求の範囲】
【請求項１】
受信フィルタを用いて受信信号の帯域を制限する帯域制限手段と、受信信号に含まれるミッドアンブルとベーシックミッドアンブルコードを所定量巡回させて相関演算を行う相関演算手段と、相関演算の演算結果に基づいてミッドアンブルシフト毎の連続した遅延プロファイルを作成する遅延プロファイル作成手段と、前記受信フィルタの特性により前記遅延プロファイルにおいて生じる各ミッドアンブルシフトの先頭サンプルの前に現れる歪み電力を示す先頭パス歪み成分をミッドアンブルシフト毎に作成する歪み成分作成手段と、ミッドアンブルシフト毎に前記遅延プロファイルが隣接する後方ミッドアンブルシフトの前記先頭パス歪み成分の電力値を前記遅延プロファイルから取り除く除去手段と、前記後方ミッドアンブルシフトの前記先頭パス歪み成分を取り除いた後の遅延プロファイルを用いてパスを選択するパス選択手段と、前記パス選択手段により選択したパスを用いてミッドアンブルシフト毎に受信信号を復調する復調手段と、を具備することを特徴とする受信装置。
【請求項２】
前記歪み成分作成手段は、前記先頭サンプルの電力値に前記受信フィルタの係数を乗算することによって、前記先頭サンプルをピーク電力値として前方へ向けて電力値が減少傾向である所定サンプル数分の前記先頭パス歪み成分を作成することを特徴とする請求項１記載の受信装置。
【請求項３】
請求項１または請求項２記載の受信装置を具備することを特徴とする基地局装置。
【請求項４】
請求項１または請求項２記載の受信装置を具備することを特徴とする通信端末装置。
【請求項５】
受信フィルタを用いて受信信号の帯域を制限する工程と、受信信号に含まれるミッドアンブルとベーシックミッドアンブルコードを所定量巡回させて相関演算を行う工程と、相関演算の演算結果に基づいてミッドアンブルシフト毎の連続した遅延プロファイルを作成する工程と、前記受信フィルタの特性により前記遅延プロファイルにおいて生じる各ミッドアンブルシフトの先頭サンプルの前に現れる歪み電力を示す先頭パス歪み成分をミッドアンブルシフト毎に作成する工程と、ミッドアンブルシフト毎に前記遅延プロファイルが隣接する後方ミッドアンブルシフトの前記先頭パス歪み成分の電力値を前記遅延プロファイルから取り除く工程と、前記後方ミッドアンブルシフトの前記先頭パス歪み成分を取り除いた後の遅延プロファイルを用いてパスを選択する工程と、選択したパスを用いてミッドアンブルシフト毎に受信信号を復調する工程と、を具備することを特徴とする受信方法。
【発明の詳細な説明】
【０００１】
【発明の属する技術分野】
本発明は、遅延波を合成して受信信号を復調する受信装置及び受信方法に関する。
【０００２】
【従来の技術】
ＩＭＴ２０００−ＴＤＤでは、タイムスロットの中央にパイロット系列であるミッドアンブルが挿入されている。このミッドアンブルは、送信側において１つのベーシックミッドアンブルコードを巡回させて作成される。
【０００３】
ミッドアンブルを作成する方法の一例（Ｋが１から８までの場合、Ｋはミッドアンブルシフトの種類）を、図７を用いて説明する。ミッドアンブルシフト８０１−１〜８０１−８は、１４４チップ長であり、１２８チップからなる２つの既知系列であるベーシックミッドアンブル８０２を組み合わせて、この範囲で１６チップ毎に巡回シフトさせて８つのミッドアンブルシフト（８種類）を作成する。そして、各ユーザ信号には、８種類のミッドアンブルのうちのどれかが割当てられて送信される。ユーザへのミッドアンブルの割当て方法としては、使用する拡散コードとミッドアンブルコードとの関係があらかじめ決められているＤｅｆａｕｌｔ  ｍｉｄａｍｂｌｅ割当て方式、ユーザ毎に個別のミッドアンブルコードが用いられるＵＥ  ｓｐｅｃｉｆｉｃ  ｍｉｄａｍｂｌｅ割当て方式及び全てのユーザ共通のミッドアンブルコードが用いられるＣｏｍｍｏｎ  ｍｉｄａｍｂｌｅ割当て方式の３つの方式がある。Ｄｅｆａｕｌｔ  ｍｉｄａｍｂｌｅ割当て方式におけるスロットの一例を図８に示す。
【０００４】
受信側では、受信信号に含まれるミッドアンブル相関を取る際に、ベーシックミッドアンブルコードを１６チップ毎に巡回シフトさせながら相関演算を行い、この演算結果に基づいて、図９に示すように、ミッドアンブルシフト１からミッドアンブルシフト８まで順番に連続した遅延プロファイルを作成していく。そして、作成した遅延プロファイルよりパスを選択し、選択したパスをレイク合成し、レイク合成結果及び遅延プロファイルを用いてＪＤ処理を行う。
【０００５】
遅延プロファイルは、ミッドアンブルシフト毎に連続して作成されるが、受信フィルタの特性により、後ろのミッドアンブルシフトの先頭サンプルの歪んだ電力の一部が前のミッドアンブルシフトの遅延プロファイルの後方に現れてしまうことがある。即ち、図１０に示すように、ミッドアンブルシフト１とミッドアンブルシフト２に着目すると、ミッドアンブルシフト１においては、電力値が、しきい値１１０４を越えるサンプル１１０１、１１０２、１１０３がパスとして選択される。しかし、パス１１０３は、ミッドアンブルシフト１の後方のサンプルであるため、ミッドアンブルシフト２の遅延プロファイルにおける先頭サンプル１１０５の歪んだ電力が含まれている可能性がある。
【０００６】
【非特許文献１】
Ａｎｊａ  Ｋｌｅｉｎ，Ｇｈａｓｓａｎ，Ｋａｗａｓ  Ｋａｌｅｈ，Ｐａｕｌ  Ｗａｌｔｅｒ  Ｂａｉｅｒ著「Ｚｅｒｏ  Ｆｏｒｃｉｎｇ  ａｎｄＭｉｎｉｍｕｍ  Ｍｅａｎ−Ｓｑｕａｒｅ−Ｅｒｒｏｒ  Ｅｑｕａｌｉｚａｔｉｏｎ  ｆｏｒ  Ｍｕｌｔｉｕｓｅｒ  Ｄｅｔｅｃｔｉｏｎ  ｉｎ  Ｃｏｄｅ−Ｄｉｖｉｓｉｏｎ  Ｍｕｌｔｉｐｌｅ−Ａｃｃｅｓｓ  Ｃｈａｎｎｅｌｓ」ＩＥＥＥ  Ｔｒａｎｓ．Ｖｅｈｉｃｕｌａｒ  Ｔｅｃｈｎｏｌｏｇｙ  ｖｏｌ．４５  Ｎｏ．２、ＭＡＹ  １９９６、ｐ．２７６−２８７
【０００７】
【発明が解決しようとする課題】
しかしながら、従来の受信装置においては、他のミッドアンブルシフトの遅延プロファイルにおける先頭パスの歪んだ電力値が、自分のミッドアンブルシフトの遅延プロファイルの後方に現れている場合でも、全て自分の遅延プロファイルにおける電力値とみなしてパス選択をしていたため、復調特性の劣化等が生じるという問題がある。
【０００８】
本発明はかかる点に鑑みてなされたものであり、他のミッドアンブルシフトの遅延プロファイルにおけるパス歪み成分を自分のパスとして選択しないようにすることにより、特性劣化を防ぐことができる受信装置及び受信方法を提供することを目的とする。
【０００９】
【課題を解決するための手段】
本発明の受信装置は、受信フィルタを用いて受信信号の帯域を制限する帯域制限手段と、受信信号に含まれるミッドアンブルとベーシックミッドアンブルコードを所定量巡回させて相関演算を行う相関演算手段と、相関演算の演算結果に基づいてミッドアンブルシフト毎の連続した遅延プロファイルを作成する遅延プロファイル作成手段と、前記受信フィルタの特性により前記遅延プロファイルにおいて生じる各ミッドアンブルシフトの先頭サンプルの前に現れる歪み電力を示す先頭パス歪み成分をミッドアンブルシフト毎に作成する歪み成分作成手段と、ミッドアンブルシフト毎に前記遅延プロファイルが隣接する後方ミッドアンブルシフトの前記先頭パス歪み成分の電力値を前記遅延プロファイルから取り除く除去手段と、前記後方ミッドアンブルシフトの前記先頭パス歪み成分を取り除いた後の遅延プロファイルを用いてパスを選択するパス選択手段と、前記パス選択手段により選択したパスを用いてミッドアンブルシフト毎に受信信号を復調する復調手段と、を具備する構成を採る。
【００１０】
この構成によれば、各ミッドアンブルシフトの遅延プロファイルの後方に、隣接後方ミッドアンブルシフトの先頭パス歪み成分が含まれている場合は、先頭パス歪み成分を取り除いた後に、自分のパスがあればパス選択を行い、隣接後方ミッドアンブルシフトの先頭パス歪み成分が含まれていない場合は、自分のパスがあればそのままパス選択を行うため、特性劣化を生じることなく受信信号を復調することができる。
【００１１】
本発明の受信装置における前記歪み成分作成手段は、前記先頭サンプルの電力値に前記受信フィルタの係数を乗算することによって、前記先頭サンプルをピーク電力値として前方へ向けて電力値が減少傾向である所定サンプル数分の前記先頭パス歪み成分を作成する構成を採る。
【００１２】
この構成によれば、先頭パス歪み成分は、隣接後方ミッドアンブルシフトの先頭サンプルの電力値に、受信フィルタの係数を乗算することによって作成するので、各ミッドアンブルシフトの遅延プロファイルより隣接後方ミッドアンブルシフトの先頭パス歪み成分の電力値を確実に取り除くことができる。
【００１３】
本発明の基地局装置は、上記のいずれかに記載の受信装置を具備する構成を採る。また、本発明の通信端末装置は、上記のいずれかに記載の受信装置を具備する構成を採る。
【００１４】
これらの構成によれば、各ミッドアンブルシフトの遅延プロファイルの後方に、隣接後方ミッドアンブルシフトの先頭パス歪み成分が含まれている場合は、先頭パス歪み成分を取り除いた後に、自分のパスがあればパス選択を行い、隣接後方ミッドアンブルシフトの先頭パス歪み成分が含まれていない場合は、自分のパスがあればそのままパス選択するため、特性劣化を生じることなく、基地局装置と通信端末装置とで行われる通信品質を良好にすることができる。
【００１５】
本発明の受信方法は、受信フィルタを用いて受信信号の帯域を制限する工程と、受信信号に含まれるミッドアンブルとベーシックミッドアンブルコードを所定量巡回させて相関演算を行う工程と、相関演算の演算結果に基づいてミッドアンブルシフト毎の連続した遅延プロファイルを作成する工程と、前記受信フィルタの特性により前記遅延プロファイルにおいて生じる各ミッドアンブルシフトの先頭サンプルの前に現れる歪み電力を示す先頭パス歪み成分をミッドアンブルシフト毎に作成する工程と、ミッドアンブルシフト毎に前記遅延プロファイルが隣接する後方ミッドアンブルシフトの前記先頭パス歪み成分の電力値を前記遅延プロファイルから取り除く工程と、前記後方ミッドアンブルシフトの前記先頭パス歪み成分を取り除いた後の遅延プロファイルを用いてパスを選択する工程と、選択したパスを用いてミッドアンブルシフト毎に受信信号を復調する工程と、を具備することである。
【００１６】
この方法によれば、各ミッドアンブルシフトの遅延プロファイルの後方に、隣接後方ミッドアンブルシフトの先頭パス歪み成分が含まれている場合は、先頭パス歪み成分を取り除いた後に、自分のパスがあればパス選択を行い、隣接後方ミッドアンブルシフトの先頭パス歪み成分が含まれていない場合は、自分パスがあればそのままパス選択するため、特性劣化を生じることなく受信信号を復調することができる。
【００１７】
【発明の実施の形態】
本発明の骨子は、遅延プロファイルにおけるミッドアンブルシフト毎の先頭サンプルを用いて、先頭サンプルより前方へ数サンプル分の先頭パス歪み成分をミッドアンブルシフト毎に作成し、隣接後方ミッドアンブルシフトの先頭パス歪み成分の電力値を取り除いた後の遅延プロファイルを用いて、ミッドアンブルシフト毎にパスを選択することである。
【００１８】
以下、本発明の実施の形態について、図面を参照して詳細に説明する。
【００１９】
（実施の形態１）
図１は、本実施の形態に係る受信装置の構成を示す図である。本実施の形態の受信装置は、アンテナ１０１、無線受信部１０２、相関演算部１０３、遅延プロファイル作成部１０４、歪み成分作成部１０６、除去部１０７、パス選択部１０８、ＪＤ演算部１０９、逆拡散・レイク合成部１１０、ＡＦＣ（Ａｕｔｏｍａｔｉｃ  Ｆｒｅｑｕｅｎｃｙ  Ｃｏｎｔｒｏｌ）部１１１及びＳＩＲ測定部１１２とから主に構成される。
【００２０】
帯域制限手段である無線受信部１０２は、アンテナ１０１で受信された信号に対して、ダウンコンバート等の所定の受信処理を施してベースバンド信号に変換し、相関演算部１０３及び逆拡散・レイク合成部１１０へ出力する。また、無線受信部１０２は、図示しない受信フィルタ（例えば、ロールオフフィルタ）を用いて、受信信号に対してノイズをできる限り拾わないように帯域制限を行う。
【００２１】
相関演算部１０３は、無線受信部１０２から入力した受信信号に含まれるミッドアンブルと呼ばれるパイロット信号部と既知のベーシックミッドアンブルを所定量巡回させたミッドアンブル系列との相関演算を行い、演算結果を遅延プロファイル作成部１０４へ出力する。
【００２２】
遅延プロファイル作成部１０４は、相関演算部１０３から入力した演算結果に基づいて、ミッドアンブルシフト毎に連続した図９に示すような遅延プロファイルを作成し、歪み成分作成部１０６及び除去部１０７へ出力する。８種類のミッドアンブルシフトを使用する場合には、各ユーザは、ミッドアンブルシフト１からミッドアンブルシフト８までのいずれかのミッドアンブルシフトを用いる。なお、各ユーザは、任意のミッドアンブルシフトを１つ若しくは複数使用する。また、ミッドアンブルシフトの種類は、８種類以外でも良い。
【００２３】
遅延プロファイルは、ミッドアンブルシフト１からミッドアンブルシフト８まで順番に作成され、ミッドアンブルシフト８の遅延プロファイルの次にはミッドアンブルシフト１の遅延プロファイルが作成され、以下は同様に繰り返し作成される。
【００２４】
歪み成分作成部１０６は、遅延プロファイル作成部１０４から入力した遅延プロファイルより、各ミッドアンブルシフトの先頭サンプルの電力値に受信フィルタの係数を乗算することによって、先頭サンプルをピーク電力値とするサンプル毎に前方へ向けて電力値が減少傾向にある所定サンプル数分の先頭パス歪み成分を作成する。作成した先頭パス歪み成分は、無線受信部１０２における受信フィルタの特性によって生じる電力値とほぼ同じになる。歪み成分作成部１０６は、作成した先頭パス歪み成分を除去部１０７へ出力する。歪み成分作成部１０６におけるこれらの処理は、各ミッドアンブルシフトが通信中であるか否かに関わらず、全ミッドアンブルシフトについて行われる。また、各ミッドアンブルシフトは、先頭サンプルを先頭パスのピークとみなして、常に先頭サンプルを先頭パス歪み成分を作成する際に使用する。なお、先頭パス歪み成分の作成方法については、後述する。
【００２５】
除去部１０７は、遅延プロファイル作成部１０４にて作成された遅延プロファイルから歪み成分作成部１０６にて作成された先頭パス歪み成分の電力値を、サンプル毎に取り除く。そして、除去部１０７は、先頭パス歪み成分を取り除いた後の遅延プロファイルをパス選択部１０８へ出力する。なお、先頭パス歪み成分を取り除く方法については、後述する。
【００２６】
パス選択部１０８は、除去部１０７から入力した各ミッドアンブルシフトの遅延プロファイルを用いて、あらかじめ設定したしきい値を超えるピークをパスとして選択し、選択したパスをＡＦＣ部１１１、ＳＩＲ測定部１１２、ＪＤ演算部１０９及び逆拡散・レイク合成部１１０へ出力する。パス選択部１０８におけるしきい値の設定は、ミッドアンブルシフト毎にピークの電力値に所定の定数を乗算することによってミッドアンブルシフト毎に設定する方法、雑音レベルに定数を乗算して求めた値をしきい値に設定する方法及び１つのミッドアンブルシフトについて求めたしきい値を、全てのミッドアンブルシフトで共通のしきい値とする方法等の任意の方法が適用できる。
【００２７】
復調手段であるＪＤ演算部１０９は、逆拡散・レイク合成部１１０から入力したレイク合成された受信信号、及びパス選択部１０８から入力した選択したパス情報に基づいて、１タイムスロットに渡って受信信号にＪＤ演算処理を行い、図に記載のない復号部へ出力して受信データが得られる。ここで、ＪＤ演算とは、例えば特願２００１−１５６６２５に記載されているような演算方法である。
【００２８】
復調手段である逆拡散・レイク合成部１１０は、パス選択部１０８から入力した選択したパス情報及び無線受信部１０２から入力した受信信号を用いて、逆拡散及びレイク合成し、ＪＤ演算部１０９へ出力する。
【００２９】
ＡＦＣ部１１１は、パス選択部１０８にて選択したパスを用いて、受信信号の位相差を検出し、検出した位相差より受信側の周波数を調整するための信号を、図示しない周波数調整部へ出力する。
【００３０】
ＳＩＲ測定部１１２は、パス選択部１０８にて選択したパスを用いて、信号電力対干渉電力の比を測定し、測定結果を出力する。なお、ＳＩＲの測定は、選択したパスを用いずに行うことも可能である。
【００３１】
次に、受信装置の動作の一例（Ｋが１から８までの場合）について、図２のフロー図を用いて説明する。アンテナ１０１にて受信した受信信号は、無線受信部１０２にて受信フィルタによる処理やダウンコンバートなどの所定の受信処理が施されてベースバンド信号に変換され、相関演算部１０３で相関演算され、相関演算された受信信号より遅延プロファイル作成部１０４にて遅延プロファイルが作成される（ステップ（以下「ＳＴ」と記載する）２０１）。次に、歪み成分作成部１０６は、各ミッドアンブルシフトの先頭パスのピークとみなした先頭サンプルを用いて先頭パス歪み成分を作成し（ＳＴ２０２）、ミッドアンブルシフトＫに１を設定する（ＳＴ２０３）。次に、除去部１０７は、ミッドアンブルシフト毎の遅延プロファイルから隣接後方ミッドアンブルシフトの先頭パス歪み成分の電力値を取り除く（ＳＴ２０４）。次に、除去部１０７は、Ｋ＝８であるか否かを判定する（ＳＴ２０５）。Ｋ＝８でなければ、Ｋの値に１を加算する（ＳＴ２０６）。一方、ＳＴ２０５において、Ｋ＝８であれば、パス選択部１０８において、先頭パス歪み成分を取り除いた後の遅延プロファイルを用いて、電力値がしきい値以上であるサンプルをパスとして選択する（ＳＴ２０７）。次に、選択したパスを用いて、ミッドアンブルシフト毎にＪＤ演算部１０９においてＪＤ処理を行い（ＳＴ２０８）、これを復号して受信データを得る。なお、Ｋの値を８とするのは一例であり、ミッドアンブルシフトの数に応じて任意に変更可能である。
【００３２】
次に、歪み成分作成部１０６における先頭パス歪み成分の作成方法及び除去部１０７における先頭パス歪み成分を取り除く方法について説明する。説明の便宜上、ミッドアンブルシフト１とミッドアンブルシフト２のみについて説明するが、ミッドアンブルシフト３からミッドアンブルシフト８についても同様である。
【００３３】
最初に、ミッドアンブルシフト１の後方の所定サンプル数分の雑音成分を除く電力値が、ミッドアンブルシフト２の遅延プロファイルにおける先頭パスの歪み電力である場合について、図３及び図４を用いて説明する。図３及び図４において、横軸は時間であり、縦軸は電力値である。各ミッドアンブルシフトの遅延プロファイルは、３２のサンプル数より形成され、各サンプルにおいて所定の電力値を有する。１チップは、１サンプルである場合に限らず、任意のサンプル数にすることができる。図３より、サンプル３０１は、隣接前方ミッドアンブルシフトであるミッドアンブルシフト１の先頭パスとみなした先頭サンプルであり、サンプル３０２は、隣接後方ミッドアンブルシフトであるミッドアンブルシフト２の先頭パスとみなした先頭サンプルである。先頭パスは、３２サンプルの間隔でミッドアンブルシフト毎に選択される。
【００３４】
パス選択部１０８は、しきい値３０３以上の電力値を有するサンプルをパスとして選択するので、図３の状態でパス選択部１０８にてパスを選択し、同一パスとみなせるパスを削除すると、サンプル３０１とサンプル３０４がミッドアンブルシフト１のパスとして選択されることになる。しかし、サンプル３０４の雑音成分を除いた電力値は、ミッドアンブルシフト２の遅延プロファイルにおける歪み電力値であるため、このままサンプル３０４をミッドアンブルシフト１のパスとして選択すると、特性劣化を生じてしまう。そこで、歪み成分作成部１０６において、ミッドアンブルシフト２のサンプル３０２の電力値に受信フィルタの係数を乗算することによって、２サンプル数分の先頭パス歪み成分を作成する。作成された先頭パス歪み成分は、電力値が前方へ向かうにつれて減少傾向にあるサンプル毎に段差をもつものである。
【００３５】
図３の場合は、サンプル３０２の電力値を用いて作成されたミッドアンブルシフト２の先頭パス歪み成分は、サンプル３０５、３０４の雑音成分を除いた部分とほぼ同一であり（サンプル３０５、３０４の斜線部）、先頭パス歪み成分の電力値は、サンプル３０５、３０４の雑音成分を除いた部分とほぼ同一の電力値となる。そして、除去部１０７において、サンプル３０５、３０４の雑音成分を除いた電力値から歪み成分作成部１０６で作成した先頭パス歪み成分の電力値を、サンプル毎に取り除くと、図４に示すように、電力値がほぼ雑音のみに近い状態になる。
【００３６】
パス選択部１０８は、ミッドアンブルシフト２の先頭パス歪み成分を取り除いた後のミッドアンブルシフト１の遅延プロファイルを用いてパス選択を行うため、サンプル３０１のみをミッドアンブルシフト１のパスとして選択する。
【００３７】
なお、先頭パス歪み成分を作成するサンプル数は、２サンプル数分に限らず、ミッドアンブルシフト２の遅延プロファイルの電力値が、ミッドアンブルシフト１の遅延プロファイルの後方に存在する可能性がある任意のサンプル数分を作成することができる。また、ミッドアンブルシフト１の後方所定サンプル数分の電力値から先頭パス歪み成分の電力値を取り除いた後に、後方所定サンプル数分にミッドアンブルシフト１の電力値が残っている場合に、その後方所定サンプルの電力値がしきい値未満であれば、その後方所定サンプル数分はパスとして選択されない。
【００３８】
次に、ミッドアンブルシフト２の先頭の所定サンプル数分の雑音成分を除く電力値が、ミッドアンブルシフト１の遅延プロファイルにおける後方パスの歪み電力である場合について、図５及び図６を用いて説明する。図５及び図６において、横軸は時間であり、縦軸は電力値である。図５より、サンプル５０１は、隣接前方ユーザであるミッドアンブルシフト１の先頭パスとみなした先頭サンプルであり、サンプル５０４は、隣接後方ユーザであるミッドアンブルシフト２の先頭パスとみなした先頭サンプルである。
【００３９】
パス選択部１０８は、しきい値５０６以上の電力値を有するサンプルをパスとして選択するので、図５の状態でパス選択部１０８にてパスを選択し、同一パスとみなされるパスを削除すると、サンプル５０１、５０２、５０３がミッドアンブルシフト１のパスとして選択されることになる。しかし、サンプル５０３の電力値は、ミッドアンブルシフト２の遅延プロファイルにおける歪み電力である可能性がある。このように、サンプル５０３の電力値が、ミッドアンブルシフト２の歪み電力である場合、サンプル５０３をミッドアンブルシフト１のパスとして選択すると、特性劣化を生じてしまう。そこで、サンプル５０３が、ミッドアンブルシフト１のパスであるか否かを判定する必要がある。そこで、歪み成分作成部１０６において、サンプル５０４の電力値に受信フィルタの係数を乗算することによって、２サンプル数分の先頭パス歪み成分を作成する。即ち、歪み成分作成部１０６は、無線受信部１０２で用いた受信フィルタとほぼ同一のフィルタを作成し、サンプル５０４より前方へ２サンプル数分の先頭パス歪み成分を作成する。作成された先頭パス歪み成分は、電力値が前方へ向かうにつれて減少傾向にあるサンプル毎に段差をもつものである。
【００４０】
図５の場合は、サンプル５０４の電力値を用いて作成されたミッドアンブルシフト２の先頭パス歪み成分５０７、５０８（斜線部）は、サンプル５０３、５０５の一部であり、先頭パス歪み成分の電力値は、サンプル５０３、５０５の電力値よりも小さくなる。そして、除去部１０７において、サンプル５０５、５０３の電力値から歪み成分作成部１０６で作成した先頭パス歪み成分５０７、５０８の電力値を取り除くと、図６に示すように、サンプル６０２、６０１は、除去部１０７において先頭パス歪み成分５０７、５０８を取り除く前の電力値よりも電力値が少し小さい状態になる。即ち、サンプル６０１、６０２の電力値は、サンプル５０３、５０５の電力値から歪み成分作成部１０６で作成した先頭パス歪み成分５０７、５０８の電力値を引いた電力値とみなされる。
【００４１】
サンプル６０１の電力値は、先頭パス歪み成分５０７、５０８を取り除いた後も、しきい値５０６以上であるため、サンプル６０１は、ミッドアンブルシフト１のパスとして選択される。したがって、パス選択部１０８は、先頭パス歪み成分５０７、５０８を取り除いた後のミッドアンブルシフト１の遅延プロファイルを用いてパス選択を行うため、サンプル５０１、５０２、６０１をミッドアンブルシフト１のパスとして選択する。このように、ミッドアンブルシフト１のパスであるサンプル６０１をパスとして選択することにより、ミッドアンブルシフト１の復調性能の劣化を防ぐことができる。
【００４２】
このように、本実施の形態の受信装置及び受信方法によれば、遅延プロファイルから先頭パス歪み成分の電力値をサンプル毎に取り除いてパス選択を行うので、遅延プロファイルの後方に他のミッドアンブルシフトの歪み電力が現れている場合に、特性劣化を生じることなく受信信号を復調することができる。また、ＡＦＣ部１１１において、選択したパスを用いて受信側の周波数を調整するので、特性劣化を生じることなく受信側の周波数を調整することができる。また、選択したパスを用いてＳＩＲを測定するので、特性劣化を生じることなくＳＩＲを測定することができる。また、遅延プロファイルの後方の選択したパスが、自分のパスであるか否かを判定する際に、各ミッドアンブルシフトが、他のミッドアンブルシフトが通信中であるか否かを判定する必要がないので、パス選択の処理が簡単であり、受信信号の処理速度の遅延を防ぐことができる。また、各ミッドアンブルシフトの先頭サンプルをパスとみなして、常に先頭サンプルを用いて先頭パス歪み成分を作成するので、先頭パス歪み成分の作成が容易である。
【００４３】
なお、上記実施の形態においては、復調方法としてＪＤ復調を用いる場合について説明したが、ＪＤ復調以外の復調方法を用いても良い。また、歪み成分作成部１０６及び除去部１０７において、先頭サンプルの電力値から雑音成分を除いた残りの電力値に受信フィルタの係数を乗算して先頭パス歪み成分を作成し、前方隣接ミッドアンブルシフトの後方所定サンプル数分の電力値の雑音成分を除いた残りの電力値から、作成した先頭パス歪み成分をサンプル毎に取り除くようにしても良い。また、本実施の形態における受信装置は、基地局装置及び通信端末装置に用いることができる。
【００４４】
【発明の効果】
以上説明したように、本発明によれば、他のミッドアンブルシフトの遅延プロファイルにおけるパス歪み成分を自分のパスとして選択しないようにすることにより、特性劣化を防ぐことができる。
【図面の簡単な説明】
【図１】本発明の実施の形態に係る受信装置の構成を示すブロック図
【図２】本発明の実施の形態に係る受信装置の動作を示すフロー図
【図３】本発明の実施の形態に係る遅延プロファイルを示す図
【図４】本発明の実施の形態に係る遅延プロファイルを示す図
【図５】本発明の実施の形態に係る遅延プロファイルを示す図
【図６】本発明の実施の形態に係る遅延プロファイルを示す図
【図７】ミッドアンブルシフトを作成する方法を示した図
【図８】スロットを示す図
【図９】遅延プロファイルを示す図
【図１０】遅延プロファイルを示す図
【符号の説明】
１０１  アンテナ
１０２  無線受信部
１０３  相関処理部
１０４  遅延プロファイル作成部
１０６  歪み成分作成部
１０７  除去部
１０８  パス選択部
１０９  ＪＤ演算部
１１０  逆拡散・レイク合成部
【図１】
0003559027.tif 000002
【図２】
0003559027.tif 000003
【図３】
0003559027.tif 000004
【図４】
0003559027.tif 000005
【図５】
0003559027.tif 000006
【図６】
0003559027.tif 000007
【図７】
0003559027.tif 000008
【図８】
0003559027.tif 000009
【図９】
0003559027.tif 000010
【図１０】
0003559027.tif 000011